(57)【要約】【課題】本発明は、レーザー光が照射する位置を受光器に直線状に表示することができるようにしたレーザー光位置表示装置を提供するものである。【解決手段】複数の発光手段３４にそれぞれ対応する光を通過する素材から成る光拡散部材４０を備える。各光拡散部材４０において、発光手段３４に近い側の第一端面４２の長さを短くし、発光手段３４から遠い側の第二端面４４の長さを長くする。光拡散部材４０を中心とし、発光手段３４と反対側に発光手段３４からの光を投影する投影手段を設ける。【選択図】図２
2007278780.tif 000002
【特許請求の範囲】
【請求項１】
ハウジングと複数の受光素子と複数の発光手段とを有し、レーザー光を受光した特定の前記受光素子に対応して特定の前記発光手段が発光することでレーザー光が照射される位置を表示する受光器において、前記複数の各発光手段に隣接してそれぞれ備えられるものであって前記発光手段に近い側の第一端面の長さに対して前記発光手段から遠い側の第二端面の長さを長くした光を通過させる素材から成る複数の光拡散部材と、前記各光拡散部材の位置を中心として前記各発光手段の反対側にそれぞれ備えられるものであって前記発光手段からの光を投影するための複数の投影手段とを有することを特徴とするレーザー光位置表示装置。
【請求項２】
前記複数の発光手段の色を幾つかの異なる色としたことを特徴とする請求項１記載のレーザー光位置表示装置。
【請求項３】
前記複数の全ての光拡散部材の色を透明としたことを特徴とする請求項１記載のレーザー光位置表示装置。
【請求項４】
前記投影手段を前記第二端面に施した凹凸面とすることを特徴とする請求項１記載のレーザー光位置表示装置。
【請求項５】
前記投影手段を、前記第二端面に対向する位置の前記ハウジングに備えるものであって前記発光手段からの光を投影する素材から成る表示窓としたことを特徴とする請求項１記載のレーザー光位置表示装置。
【請求項６】
前記ハウジングに、互いに直角方向に配置された第一気泡管と第二気泡管とを備えることを特徴とする請求項１記載のレーザー光位置表示装置。
【発明の詳細な説明】
【技術分野】
【０００１】
本発明は、レーザー墨出し器からのレーザー光の位置を検知して受光器に可視的に表示するためのレーザー光位置表示装置に関する。
【背景技術】
【０００２】
従来から、家屋等の建設作業の際に、壁面等にレーザー光による垂直や水平な線を投射するレーザー墨出し器が使用されている。そのレーザー墨出し器から投射される直線状のレーザー光を受光し、そのレーザー光が当たる位置の壁面の適切な位置に目印を印字するためのレーザー光受光印字装置（受光器の一種）が特許文献１に提案されている。
【０００３】
この特許文献１の受光器では、３つの表示ランプ（発行手段）を有している。受光器へのレーザー光の位置が適正位置の場合に点灯する適正位置ランプと、適正位置より上方にレーザー光が当たっている場合には、下方へ受光器を移動させることを示す下方への位置移動指示ランプと、適正位置より下方にレーザー光が当たっている場合には、上方へ受光器を移動させることを示す上方への位置移動指示ランプとを有している。しかし、これらの３つの表示ランプだけでは、適正位置からどれだけの距離だけレーザー光がずれているか分からず、かつどの方向にどの程度傾斜しているかが分からないものであった。そのため、上下方向の距離と左右の傾斜角度とを変えて、レーザー光の適正位置に受光器を合わせるまでに時間がかかるという欠点があった。
【０００４】
この欠点を解消するものとして、特許文献２のレーザー光受光印字装置（受光器の一種）が提供された。この特許文献２を図５乃至図７に示す。図５に示すレーザー光受光印字装置５０では、ハウジング５２に、２個の受光フィルター５４と、レーザー光の位置を示すための位置表示手段５６とを備えている。ハウジング５２の表側には更に、電源スイッチ５８と印字ボタン６０とスピーカー６２とを備えている。図６に示すように、位置表示手段５６は、２列の並列な縦方向の縦方向表示部６４（図６では各列それぞれ７個の表示ランプ６６）と、２列の縦方向の縦方向表示部６４と交差する１列の横方向の横方向表示部６８（図６では７個の表示ランプ７０）とから成る。縦方向表示部６４と横方向の横方向表示部６８とが交差する箇所のランプは、近似位置表示ランプ７２（表示ランプ６６も表示ランプ７０も兼ねる）とし、２個の近似位置表示ランプ７２の中間のランプを最適位置表示ランプ７４（表示ランプ７０も兼ねる）としている。
【０００５】
ハウジング５２の内部には、各受光フィルター５４に対応して、各受光フィルター５４を通過したレーザー光を受ける２個の受光検知手段７６ａ，７６ｂ（図７）が備えられている。２個の受光検知手段７６ａ，７６ｂの中央にはそれぞれ、上下の一対の第一受光素子７８ａ，７８ｂと、それら第一受光素子７８ａ，７８ｂの中間位置の左右両側に一対の第二受光素子８０とを有している。第一受光素子７８ａの上方には３個の第三受光素子８２を備え、第一受光素子７８ｂの下方には３個の第三受光素子８２を備えている。
【０００６】
図７における左側の受光検知手段７６ａの上方の３個の第三受光素子８２は、図６の左側の縦方向表示部６４の上側３個の表示ランプ６６とそれぞれ対応する。例えば、図７の左側の受光検知手段７６ａの上から３番目の第三受光素子８２にレーザー光が照射された場合に、図６の左側の縦方向表示部６４の上から３番目の表示ランプ６６が点灯するように設定されている。図７の左側の受光検知手段７６ａの下方の３個の第三受光素子８２と、図６の左側の縦方向表示部６４の下方の３個の表示ランプ６６との関係も同様である。また、図７の右側の受光検知手段７６ｂの上下各３個の第三受光素子８２と、図６の右側の縦方向表示部６４の上下各３個の表示ランプ６６との関係も同様である。
【０００７】
左側の受光検知手段７６ａの上下の一対の第一受光素子７８ａ，７８ｂのいずれか一方にレーザー光が照射されて、その面積の半分以下が照射された場合には、図６の横方向表示部６８の左側から２番目の表示ランプ７０が点灯するように設定される。上下の一対の第一受光素子７８ａ，７８ｂのいずれか一方の面積の半分以上が照射された場合には、図６の横方向表示部６８の左側から２番目と３番目との表示ランプ７０が点灯するように設定される。上下の一対の第一受光素子７８ａ，７８ｂの両方にレーザー光が照射された場合には、図６の横方向表示部６８の一番左側の表示ランプ７０が点灯するように設定される。図７の右側の受光検知手段７６ｂにおいては、図６の右側の縦方向表示部６４と横方向表示部６８とは対称位置において同様に点灯する。更に、左右の受光検知手段７６の合計４個の第二受光素子８０の全部にレーザー光が照射された場合に、横方向表示部６８の全て（７個）の表示ランプ（最適位置表示ランプ７４も含む）が点灯するように設定される。
【０００８】
この特許文献２の技術では、２列の縦方向の表示ランプ６６をそれぞれ複数個（７個）備えているので、レーザー光が最適位置から上下方向にどれだけ離れているかと、どの方向に傾斜しているかとが明確に認識できる。更に、横方向表示部６８の７個の表示ランプ７０の左右の点灯の数で、受光器が最適位置付近でレーザー光に対して左右のどの方向に傾斜しているかを認識することができる。
【０００９】
【特許文献１】実用新案登録第３０７９６０１号
【特許文献２】特開２００４−１２１４４
【発明の開示】
【発明が解決しようとする課題】
【００１０】
しかし、この特許文献２の技術では、図６に示すように、合計１９個の表示ランプ（ＬＥＤ）６０，７０を備えなければならず、ＬＥＤの個数の多さからコストが高くなるという欠点があった。また、レーザー光が最適位置になった場合にのみ、横方向表示部６８の全て（７個）の表示ランプが点灯するが、それ以外は２列の縦方向の縦方向表示部６４のそれぞれの表示ランプ６６が１個ずつ（合計２個）点灯するのみである。受光器は、太陽光の下で使用される割合も多く、太陽光の下で使用される場合に２個の表示ランプ６６のみの点灯では、見にくい場合があった。
【００１１】
レーザー光は受光器に対して直線状に照射しているので、利用者からは受光器に照射するレーザー光の照射位置を、直線状に見たいという要請があった。
【００１２】
本発明は、レーザー光が照射する位置を受光器に直線状に表示することができるようにしたレーザー光位置表示装置を提供することを目的とするものである。
【課題を解決するための手段】
【００１３】
本発明に係るレーザー光位置表示装置は、ハウジングと複数の受光素子と複数の発光手段とを有し、レーザー光を受光した特定の前記受光素子に対応して特定の前記発光手段が発光することでレーザー光が照射される位置を表示する受光器において、前記複数の各発光手段に隣接してそれぞれ備えられるものであって前記発光手段に近い側の第一端面の長さに対して前記発光手段から遠い側の第二端面の長さを長くした光を通過させる素材から成る複数の光拡散部材と、前記各光拡散部材の位置を中心として前記各発光手段の反対側にそれぞれ備えられるものであって前記発光手段からの光を投影するための複数の投影手段とを有することを特徴とするものである。本発明は、前記複数の発光手段の色を幾つかの異なる色としたことを特徴とするものである。本発明は、前記複数の全ての光拡散部材の色を透明としたことを特徴とするものである。本発明は、前記投影手段を前記第二端面に施した凹凸面とすることを特徴とするものである。本発明は、前記投影手段を、前記第二端面に対向する位置の前記ハウジングに備えるものであって前記発光手段からの光を投影する素材から成る表示窓としたことを特徴とするものである。本発明は、前記ハウジングに、互いに直角方向に配置された第一気泡管と第二気泡管とを備えることを特徴とするものである。
【発明の効果】
【００１４】
本発明は、点光源である発光手段からの光を直線状に拡散させ、その直線状に拡散した光を投影手段に投影させて表示するものである。この結果、太陽光の下でレーザー光が見えない状態においても、受光器にレーザー光が照射されている位置を、直線として明確に認識することができる。また、光源である発光手段の個数を従来のものより大幅に少なくして、コストを低減することができる。更に、複数の発光手段の色を異なるものとすることで、レーザー光が最適位置からどの程度離れているかを容易に認識させることができる。
【発明を実施するための最良の形態】
【００１５】
次に、本発明を図面に基づいて説明する。図１は本発明に係るレーザー光位置表示装置を備える受光器の斜視図である。受光器１０は、表側ハウジング１２と裏側ハウジング１４とを有する。表側ハウジング１２には、1個の受光フィルター１６と、複数個（例えば７個）の平行な直線状の表示窓１８とを備えている。７個の平行な直線状の表示窓１８を、それぞれ順に表示窓１８ａ，１８ｂ，１８ｃ，１８ｄ，１８ｅ，１８ｆ，１８ｇとする。表側ハウジング１２には、電源スイッチ２０とスピーカー２２とブザーボタン２４とを備えている。表側ハウジング１２には更に、互いに直角方向に位置する第一気泡管２６と第二気泡管２８とを備えている。なお、第一気泡管２６と第二気泡管２８は、表側ハウジング１２ではなく、裏側ハウジング１４に取り付けるようにしても良い。裏側ハウジング１４には、最適位置にレーザー光が照射している時に、位置をマークするため（その箇所で線を入れたり、けがいたりするため）の切欠部３０が形成されている。
【００１６】
図２は本発明に係るレーザー光位置表示装置を示す斜視図、図３は本発明に係るレーザー光位置表示装置を示す断面図である。図２及び図３に示す基板３２は、表側ハウジング１２と裏側ハウジング１４とで囲まれた空間３３内に備えられている。その基板３２には、直線状に複数個（例えば７個）の点光源である発光手段（ＬＥＤ）３４が取り付けられている。図２及び図３に示すように、直線状に配置された７個の発光手段３４を、それぞれ順に発光手段３４ａ，３４ｂ，３４ｃ，３４ｄ，３４ｅ，３４ｆ，３４ｇとする。このうち、真中の発光手段３４ｄは、最適位置を示すためのランプである。真中の発光手段３４ｄの隣に備えられる発光手段３４ｃ，３４ｅは、最適位置に近い位置を表示するためのものである。発光手段３４ｃ，３４ｅの隣に備えられる発光手段３４ｂ，３４ｆは、発光手段３４ｃ，３４ｅで示す位置よりも遠い位置を示すためのものである。発光手段３４ｂ，３４ｆの隣に備えられる発光手段３４ａ，３４ｇは、発光手段３４ｂ，３４ｆで示す位置よりも遠い位置を示すためのものである。最適位置を示す真中の発光手段３４ｄが発光する色と、その真中の発光手段３４ｄの隣の発光手段３４ｃ，３４ｅが発光する色と、その発光手段３４ｃ，３４ｅの隣の発光手段３４ｂ，３４ｆが発光する色と、その発光手段３４ｂ，３４ｆの隣の発光手段３４ａ，３４ｇが発光する色とを、それぞれ異なる色とする。これによって、発光手段３４が発光する色に応じて、最適位置にあるか、最適位置からどれだけ離れているかを認識することができる。
【００１７】
前記基板３２には、受光フィルター１６に対応する位置には、直線状に複数個（例えば４個）の受光素子３６が取り付けられている。図２及び図４に示すように、直線状の４個の受光素子３６を、それぞれ受光素子３６Ａ，３６Ｂ，３６Ｃ，３６Ｄとする。受光フィルター１６にレーザー光が照射した場合に、そのレーザー光３８は図４で、受光素子３６Ａのみか、受光素子３６Ａと受光素子３６Ｂの両方にわたってか、受光素子３６Ｂのみか、受光素子３６Ｂと受光素子３６Ｃの両方にわたってか、受光素子３６Ｃのみか、受光素子３６Ｃと受光素子３６Ｄの両方にわたってか、受光素子３６Ｄのみか、のいずれかに照射するように設定する。
【００１８】
レーザー光３８が図４の受光素子３６Ａのみを照射した場合に、図２及び図３の発光手段３４ａが点灯するように設定する。レーザー光３８が図４の受光素子３６Ａと受光素子３６Ｂの両方を照射した場合に、図２及び図３の発光手段３４ｂが点灯するように設定する。レーザー光３８が図４の受光素子３６Ｂのみを照射した場合に、図２及び図３の発光手段３４ｃが点灯するように設定する。レーザー光３８が図４の受光素子３６Ｂと受光素子３６Ｃの両方を照射した場合に、図２及び図３の発光手段３４ｄが点灯するように設定する。レーザー光３８が図４の受光素子３６Ｃのみを照射した場合に、図２及び図３の発光手段３４ｅが点灯するように設定する。レーザー光３８が図４の受光素子３６Ｃと受光素子３６Ｄの両方を照射した場合に、図２及び図３の発光手段３４ｆが点灯するように設定する。レーザー光３８が図４の受光素子３６Ｄのみを照射した場合に、図２及び図３の発光手段３４ｇが点灯するように設定する。
【００１９】
図３に示すように、各発光手段３４ａ，３４ｂ，３４ｃ，３４ｄ，３４ｅ，３４ｆ，３４ｇと各表示窓１８ａ，１８ｂ，１８ｃ，１８ｄ，１８ｅ，１８ｆ，１８ｇとの間に、それぞれ光拡散部材４０（４０ａ，４０ｂ，４０ｃ，４０ｄ，４０ｅ，４０ｆ，４０ｇ）を備える。図２に示すように、光拡散部材４０ａ，４０ｂ，４０ｃ，４０ｄ，４０ｅ，４０ｆ，４０ｇは、図２のＸ方向から見て、台形形状をしている。図３に示すように、光拡散部材４０（４０ａ，４０ｂ，４０ｃ，４０ｄ，４０ｅ，４０ｆ，４０ｇ）では、発光手段３４（３４ａ，３４ｂ，３４ｃ，３４ｄ，３４ｅ，３４ｆ，３４ｇ）に近い側の第一端面４２（４２ａ，４２ｂ，４２ｃ，４２ｄ，４２ｅ，４２ｆ，４２ｇ）は長さが短く（短辺）、発光手段３４（３４ａ，３４ｂ，３４ｃ，３４ｄ，３４ｅ，３４ｆ，３４ｇ）から遠い側の第二端面４４（４４ａ，４４ｂ，４４ｃ，４４ｄ，４４ｅ，４４ｆ，４４ｇ）は長さが長く（長辺）なるように設定配置されている。光拡散部材４０（４０ａ，４０ｂ，４０ｃ，４０ｄ，４０ｅ，４０ｆ，４０ｇ）は、光を透過させる透明のものが望ましい。なお、光拡散部材４０は光を透過させるものであれば良く、必ずしも透明のものである必要はない。光拡散部材４０の素材としては、透明の樹脂が良いが、透明のガラスであっても良い。
【００２０】
各発光手段３４ａ，３４ｂ，３４ｃ，３４ｄ，３４ｅ，３４ｆ，３４ｇからの光は、各光拡散部材４０ａ，４０ｂ，４０ｃ，４０ｄ，４０ｅ，４０ｆ，４０ｇに向けて照射されるが、その光は光拡散部材４０の短辺である第一端面４２側から入って長辺である第二端面４４側から出るように設定される。即ち、光拡散部材４０ａ，４０ｂ，４０ｃ，４０ｄ，４０ｅ，４０ｆ，４０ｇにおいて、発光手段３４ａ，３４ｂ，３４ｃ，３４ｄ，３４ｅ，３４ｆ，３４ｇからの光は、短い長さから長い長さに長さが変化する。長さの長い第二端面４４（４４ａ，４４ｂ，４４ｃ，４４ｄ，４４ｅ，４４ｆ，４４ｇ）は、直線状の表示窓１８（１８ａ，１８ｂ，１８ｃ，１８ｄ，１８ｅ，１８ｆ，１８ｇ）と長手方向が一致して、しかもそれらが互いに近接して向き合うように設定配置される。
【００２１】
光拡散部材４０ａ，４０ｂ，４０ｃ，４０ｄ，４０ｅ，４０ｆ，４０ｇにおける第二端面４４ａ，４４ｂ，４４ｃ，４４ｄ，４４ｅ，４４ｆ，４４ｇ（図２）には、光が投影するための投影手段を備える。投影手段は、光が通過する光拡散部材４０を中心として発光手段３４の反対側に備えるものとする。投影手段としては、例えば第二端面４４ａ，４４ｂ，４４ｃ，４４ｄ，４４ｅ，４４ｆ，４４ｇを凹凸を形成したすりガラス状にするか、あるいはその位置にすりガラス状の部材を別途固定する。投影手段は、発光手段３４からの光を投影するためのものであれば（光をそのまま通過させるもので無ければ）どのようなものであっても良く、特に、すりガラス状のものに限らない。
【００２２】
この投影手段の存在によって、光拡散部材４０ａ，４０ｂ，４０ｃ，４０ｄ，４０ｅ，４０ｆ，４０ｇの内部を通り抜けた発光手段３４ａ，３４ｂ，３４ｃ，３４ｄ，３４ｅ，３４ｆ，３４ｇからの光は、投影手段に投影される。この投影手段に投影された光を、表示窓１８ａ，１８ｂ，１８ｃ，１８ｄ，１８ｅ，１８ｆ，１８ｇを介して見ることができる。よって、発光手段３４ａ，３４ｂ，３４ｃ，３４ｄ，３４ｅ，３４ｆ，３４ｇからの光は、表示窓１８ａ，１８ｂ，１８ｃ，１８ｄ，１８ｅ，１８ｆ，１８ｇを介して、長い光の線として視覚的に捉えることができる。
【００２３】
なお、前述の説明では、光拡散部材４０ａ，４０ｂ，４０ｃ，４０ｄ，４０ｅ，４０ｆ，４０ｇの第二端面４４ａ，４４ｂ，４４ｃ，４４ｄ，４４ｅ，４４ｆ，４４ｇの位置に投影手段を備えるとしたが、第二端面４４ａ，４４ｂ，４４ｃ，４４ｄ，４４ｅ，４４ｆ，４４ｇの位置に投影手段を備えないで、表示窓１８ａ，１８ｂ，１８ｃ，１８ｄ，１８ｅ，１８ｆ，１８ｇそのものを投影手段としても良い。即ち、表示窓１８ａ，１８ｂ，１８ｃ，１８ｄ，１８ｅ，１８ｆ，１８ｇそのものを、光を投影するすりガラス等の部材としても良い。あるいは、第二端面４４ａ，４４ｂ，４４ｃ，４４ｄ，４４ｅ，４４ｆ，４４ｇと表示窓１８ａ，１８ｂ，１８ｃ，１８ｄ，１８ｅ，１８ｆ，１８ｇとの両方を投影手段としても良い。なお、表示窓１８ａ，１８ｂ，１８ｃ，１８ｄ，１８ｅ，１８ｆ，１８ｇを無くして、表示窓１８の外表面位置に光拡散部材４０ａ，４０ｂ，４０ｃ，４０ｄ，４０ｅ，４０ｆ，４０ｇの第二端面４４ａ，４４ｂ，４４ｃ，４４ｄ，４４ｅ，４４ｆ，４４ｇを配置するようにしても良い。
【００２４】
次に、図1に示す受光器１０を使用して例えば壁面（図示せず）にプロットを付ける状態について説明する。先ず、受光器１０の第一気泡管２６と第二気泡管２８とによって、受光器１０の水平と垂直とを出す。その水平状態と垂直状態とを保ちながら、壁面に受光器１０の裏側ハウジングを接触させながら、受光器１０を上下に移動させる。レーザー光３８が受光フィルター１６に照射すると、レーザー光３８は４個の受光素子３６のうちのいずれか１つまたは２つを照射する。例えば、レーザー光３８が受光素子３６Ａを照射した場合には、発光手段３４ａが発光し、発光手段３４ａの光は光拡散部材４０ａを通って、それに対応する投影手段に幅のある直線として投影する。この結果、表示窓１８ａを通して幅のある直線状の光を見ることができる。この表示窓１８ａに直線状の光が見えた時、その光の位置や色から、最適位置から離れていることが容易に認識できる。最適位置は発光手段３４ｄであるので、受光器１０の水平状態と垂直状態とを保ちながら、受光器１０を上方に移動させる。
【００２５】
その後、図４に示すように、レーザー光３８が受光素子３６Ｂと受光素子３６Ｃの両方に照射した場合に、発光手段３４ｄが発光し、発光手段３４ｄの光は光拡散部材４０ｄを通って、それに対応する投影手段に幅のある直線として投影する。これによって、表示窓１８ｄを通して幅のある直線状の光を見ることができる。この表示窓１８ｄに直線状の光が見えた時、その光の位置や色から、受光器１０が最適位置にあるので、裏側ハウジング１４の切欠部３０から壁面にプロットあるいはマークを付ける。
【００２６】
本発明では、各発光手段３４ａ，３４ｂ，３４ｃ，３４ｄ，３４ｅ，３４ｆ，３４ｇからの光を、光拡散部材４０ａ，４０ｂ，４０ｃ，４０ｄ，４０ｅ，４０ｆ，４０ｇで直線状に拡散し、その拡散した光を投影手段に投影して直線状に見えるようにしたものである。従って、受光器１０が太陽光にさらされていてレーザー光３８が目に見えなくても、レーザー光３８が当たっている位置を受光器１０に表示窓１８から直線的に表すことができ、作業者が効率良くマーキング作業を行うことができる。
【００２７】
なお、前述の説明で、発光手段３４ａ，３４ｂ，３４ｃ，３４ｄ，３４ｅ，３４ｆ，３４ｇの発光色を異なる色とし、光拡散部材４０ａ，４０ｂ，４０ｃ，４０ｄ，４０ｅ，４０ｆ，４０ｇを透明とするとしたが、発光手段３４ａ，３４ｂ，３４ｃ，３４ｄ，３４ｅ，３４ｆ，３４ｇを同一色とし、光拡散部材４０ａ，４０ｂ，４０ｃ，４０ｄ，４０ｅ，４０ｆ，４０ｇを異なる色としても良い。また、発光手段３４ａ，３４ｂ，３４ｃ，３４ｄ，３４ｅ，３４ｆ，３４ｇを同一色とし、光拡散部材４０ａ，４０ｂ，４０ｃ，４０ｄ，４０ｅ，４０ｆ，４０ｇを透明とし、表示窓１８ａ，１８ｂ，１８ｃ，１８ｄ，１８ｅ，１８ｆ，１８ｇを異なる色にしても良い。
【図面の簡単な説明】
【００２８】
【図１】本発明に係るレーザー光位置表示装置を備える受光器の斜視図である。
【図２】本発明に係るレーザー光位置表示装置を示す斜視図である。
【図３】本発明に係るレーザー光位置表示装置を示す断面図である。
【図４】本発明に係るレーザー光位置表示装置に使用する受光素子を示す正面図である。
【図５】従来既知のレーザー光受光印字装置の斜視図である。
【図６】図５のレーザー光受光印字装置に備える位置表示手段の正面図である。
【図７】図５のレーザー光受光印字装置に備える受光素子の正面図である。
【符号の説明】
【００２９】
１０  受光器
１２  表側ハウジング
１４  裏側ハウジング
１６  受光フィルター
１８ａ，１８ｂ，１８ｃ，１８ｄ，１８ｅ，１８ｆ，１８ｇ  表示窓
２６  第一気泡管
２８  第二気泡管
３０  切欠部
３４ａ，３４ｂ，３４ｃ，３４ｄ，３４ｅ，３４ｆ，３４ｇ  発光手段
３６Ａ，３６Ｂ，３６Ｃ，３６Ｄ  受光素子
３８  レーザー光
４０ａ，４０ｂ，４０ｃ，４０ｄ，４０ｅ，４０ｆ，４０ｇ  光拡散部材
４２ａ，４２ｂ，４２ｃ，４２ｄ，４２ｅ，４２ｆ，４２ｇ  第一端面
４４ａ，４４ｂ，４４ｃ，４４ｄ，４４ｅ，４４ｆ，４４ｇ  第二端面
【図１】
2007278780.tif 000003
【図２】
2007278780.tif 000004
【図３】
2007278780.tif 000005
【図４】
2007278780.tif 000006
【図５】
2007278780.tif 000007
【図６】
2007278780.tif 000008
【図７】
2007278780.tif 000009